(57)【要約】【課題】マニュアルフォーカス時に、ユーザーが合焦部分の確認を容易にできる撮像装置、表示制御方法を提供する。【解決手段】被写体の画像を撮像手段１０５で取り込んで表示する表示手段１１７を有する撮像装置１で、マニュアルフォーカス調整でフォーカスレンズ１０４の位置を移動させ、フォーカスレンズ１０４の位置情報から合焦範囲を算出する。同時に、距離画像情報を生成する手段１３０、１３１、１３２、１３３、１３４で距離画像情報を生成する。撮像により得られた画像信号を構成する各画素に対応する、前記距離画像情報を構成する各画素の距離データと前記合焦範囲とを比較して、前記距離データが前記合焦範囲にあるときに前記画像信号の画素に第一の色を割り当てて、表示手段１１７に表示する。【選択図】図１
2015129899.tif 000002
【特許請求の範囲】
【請求項１】
被写体の画像を撮像する撮像手段と、
該撮像手段で撮像した画像を表示する表示手段と、
ユーザーの操作入力に応じてフォーカスレンズの位置を移動するマニュアルフォーカス調整手段と、
前記フォーカスレンズの位置情報から合焦範囲を算出する算出手段と、
距離画像情報を生成する生成手段とを具備し、
前記撮像手段により得られた画像信号を構成する各画素に対応する、前記距離画像情報を構成する各画素の距離データと前記合焦範囲とを比較して、前記距離データが前記合焦範囲にあるときに前記画像信号の画素に第一の色を割り当てて、前記表示手段に表示させるようにしてなることを特徴とする撮像装置。
【請求項２】
請求項１に記載の撮像装置であって、
撮像により得られた画像信号を構成する各画素に対応する、前記距離画像情報を構成する各画素の距離データと前記合焦範囲とを比較して、前記距離データが前記合焦範囲よりも前記撮像装置に近い範囲にあるときに前記画像信号の画素に第二の色を割り当て、前記距離データが合焦範囲よりも前記撮像装置から遠い範囲にあるときに前記画像信号の画素に第三の色を割り当てて、前記表示手段に表示させるようにしてなることを特徴とする撮像装置。
【請求項３】
請求項１に記載の撮像装置であって、
撮像により得られた画像信号を構成する各画素に対応する、前記距離画像情報を構成する各画素の距離データと前記合焦範囲とを比較して、前記距離データが前記合焦範囲よりも前記撮像装置に近い範囲にあるときに前記画像信号の画素に距離データに応じて複数の第二の色を割り当て、前記距離データが合焦範囲よりも前記撮像装置から遠い範囲にあるときに前記画像信号の画素に距離データに応じて複数の第三の色を割り当てて、前記表示手段に表示させるようにしてなることを特徴とする撮像装置。
【請求項４】
請求項１から請求項３のいずれか１項に記載の撮像装置であって、
さらにズームレンズと絞りを具備し、
前記算出手段は、前記フォーカスレンズの位置情報に加えて、前記ズームレンズの位置情報及び前記絞りの量とから合焦範囲を算出することを特徴する撮像装置。
【請求項５】
請求項４に記載の撮像装置であって、
前記絞りの量を仮想的に変化させたときの合焦範囲を算出し、該合焦範囲を用いて色を割り当てて、前記表示手段に表示させるモードを具備することを特徴とする撮像装置。
【請求項６】
被写体の画像を撮像する撮像手段と、該撮像手段で撮像した画像を表示する表示手段と、ユーザーの操作入力に応じてフォーカスレンズの位置を移動するマニュアルフォーカス調整手段と、距離画像情報を生成する手段とを有する撮像装置において、
前記フォーカスレンズの位置情報から合焦範囲を算出するステップと、
撮像により得られた画像信号を構成する各画素に対応する、前記距離画像情報を構成する各画素の距離データと前記合焦範囲とを比較するステップと、
前記距離データが前記合焦範囲にあるときに前記画像信号の画素に第一の色を割り当てて、前記表示手段に表示させるステップと、
を含むことを特徴とする表示制御方法。
【請求項７】
被写体の画像を撮像する撮像手段と、該撮像手段で撮像した画像を表示する表示手段と、ユーザーの操作入力に応じてフォーカスレンズの位置を移動するマニュアルフォーカス調整手段と、距離画像情報を生成する手段とを有する撮像装置において、
前記フォーカスレンズの位置情報から合焦範囲を算出するステップと、
撮像により得られた画像信号を構成する各画素に対応する、前記距離画像情報を構成する各画素の距離データと前記合焦範囲とを比較するステップと、
前記距離データが前記合焦範囲にあるときに前記画像信号の画素に第一の色を割り当てて、前記表示手段に表示させるステップと、
をコンピュータに実行させることを特徴とする撮影プログラム。
【発明の詳細な説明】
【技術分野】
【０００１】
本発明は撮像装置および撮像装置における表示制御方法に係り、特にマニュアルフォーカス機能を備えた撮像装置、表示制御方法および撮影プログラムに関する。
【背景技術】
【０００２】
民生用途のデジタルスチルカメラやデジタルビデオカメラでは、被写体に対して自動的にフォーカスを合わせるオートフォーカス機能が搭載されているものが多い。一方、業務用途のデジタルスチルカメラやデジタルビデオカメラでは、撮影者の意図が反映しやすい手動によるフォーカス調整（マニュアルフォーカス）機能を備えているものが多い。マニュアルフォーカスの場合、カメラに付属した電子ビューファインダやＬＣＤ（ Liquid Crystal Display ）などのモニタを見ながらフォーカスを合わせることが多いが、電子ビューファインダやモニタの小面積で解像度もそれほど高くない画面では合焦度合いの確認が難しい。
【０００３】
そこで、従来は、合焦しているエッジ部分の強調表示（ピーキング）が行われることが多い。ピーキングの方式には種々のものがあるが、基本的には画像の高域成分を高域通過フィルタで取り出し、その成分をもとの画像に加えることで実現される。ピーキングによるエッジ部分の強調表示は、エッジ部分の大きさや場所によっては判別しづらい。この問題に対処するために、特許文献１ではエッジ部分に着色することで視認性を良くすることが行われている。
【０００４】
また、特許文献２では、被写体の画像を複数のブロックに分け、それぞれのブロックが合焦状態であるか、それより遠景であるか、またはそれより近景であるかを着色により区別する表示を行う撮像装置が開示されている。開示された撮像装置では、現在のフォーカス位置において、分割されたそれぞれのブロックのエッジ成分の総量を検出する。また、現在のフォーカス位置よりも遠景にフォーカスを移動させた状態および現在のフォーカス位置よりも近景にフォーカスを移動させた状態においても同様にそれぞれのブロックのエッジ成分の総量を検出する。次に、各ブロックにおいて、最もエッジ成分の総量が多いフォーカス位置に応じて、あらかじめモノクロ化しておいた画像に異なる色で着色することで、現在のフォーカス位置がどのブロックに合焦しているかを直接的に表現する。
【先行技術文献】
【特許文献】
【０００５】
【特許文献１】特開２００６−５８６８３号公報
【特許文献２】特開平６−１１３１８３号公報
【特許文献３】特開２００６−１０５６９４号公報
【特許文献４】特開２００１−１９４１１４号公報
【発明の概要】
【発明が解決しようとする課題】
【０００６】
しかしながら、特許文献１に開示された方法では、色がついた部分のエッジがさらに急峻になっているかそうではないかの区別がしにくいので、画像によっては精度よくフォーカスを合わせるのが困難なことがある。また、エッジの無い平坦部に合焦している場合には合焦していることの判別が難しい。また、特許文献２に開示された方法では、画像ブロックごとに合焦状態が示されるため、そのブロック内に複数の被写体が存在していた場合、それらのうちのどの被写体に対しての合焦状態を示しているのかをユーザーが理解できない。また、フォーカスを移動させてエッジ成分を検出するので、そもそも動画の撮像中に用いることができないといった問題があった。撮影記録した動画像で、ユーザーの意図しないフォーカス移動が行われることになるからである。
【課題を解決するための手段】
【０００７】
本発明は上記の目的を達成するため、以下の１）〜３）に記載の手段を含む。
【０００８】
すなわち、
１）被写体の画像を撮像する撮像手段と、該撮像手段で撮像した画像を表示する表示手段とを有する撮像装置において、ユーザーの操作入力に応じてフォーカスレンズの位置を移動するマニュアルフォーカス調整手段と、前記フォーカスレンズの位置情報から合焦範囲を算出する手段と、距離画像情報を生成する手段とを具備し、撮像により得られた画像信号を構成する各画素に対応する、前記距離画像情報を構成する各画素の距離データと前記合焦範囲とを比較して、前記距離データが前記合焦範囲にあるときに前記画像信号の画素に第一の色を割り当てて、前記表示手段に表示させるようにしてなることを特徴とする撮像装置。
２）被写体の画像を撮像する撮像手段と、該撮像手段で撮像した画像を表示する表示手段と、ユーザーの操作入力に応じてフォーカスレンズの位置を移動するマニュアルフォーカス調整手段と、距離画像情報を生成する手段とを有する撮像装置において、前記フォーカスレンズの位置情報から合焦範囲を算出するステップと、撮像により得られた画像信号を構成する各画素に対応する、前記距離画像情報を構成する各画素の距離データと前記合焦範囲とを比較するステップと、前記距離データが前記合焦範囲にあるときに前記画像信号の画素に第一の色を割り当てて、前記表示手段に表示させるステップと、を含むことを特徴とする表示制御方法。
３）被写体の画像を撮像する撮像手段と、該撮像手段で撮像した画像を表示する表示手段と、ユーザーの操作入力に応じてフォーカスレンズの位置を移動するマニュアルフォーカス調整手段と、距離画像情報を生成する手段とを有する撮像装置において、前記フォーカスレンズの位置情報から合焦範囲を算出するステップと、撮像により得られた画像信号を構成する各画素に対応する、前記距離画像情報を構成する各画素の距離データと前記合焦範囲とを比較するステップと、前記距離データが前記合焦範囲にあるときに前記画像信号の画素に第一の色を割り当てて、前記表示手段に表示させるステップと、をコンピュータに実行させることを特徴とする撮影プログラム。
【発明の効果】
【０００９】
本発明の撮像装置によれば、合焦する被写体距離の範囲内にある物体の部分が着色されるので、エッジのみの着色に比較して視認性が良く、また、その範囲内に平坦部分のみが存在する場合でも着色されるので、合焦していることの判別が容易である。また、非合焦部分についても、その部分が合焦範囲よりも手前にあるのか、遠方にあるのかの判別が即座にできるので、ユーザーが合焦している部分を変更したい場合に、迷うことなくフォーカスを移動できる。さらに、動画の撮影中でも使用することができる。
【図面の簡単な説明】
【００１０】
【図１】本発明の撮像装置の一実施形態の全体構成を示すブロック図である。
【図２】本発明の撮像装置の電子ビューファインダに表示される画像の概念図である。
【発明を実施するための形態】
【００１１】
以下に図面を参照しながら、本発明に係る撮像装置の好適な実施形態を説明する。かかる実施形態に示す具体的な数値等は、発明の理解を容易とするための例示にすぎず、特に断る場合を除き、本発明を限定するものではない。なお、本発明に直接関係のない要素は図示を省略する。
＜本発明の実施の形態１．＞
本実施の形態においては、動画を撮影して記録媒体に記録する。ここでは、本実施の形態における撮像装置の特徴的な構成を説明するのに先立ち、本発明の理解を容易とするため、先ず、本実施の形態にかかる撮像装置の全体構成について説明する。
【００１２】
図１は、本発明の実施形態に係る撮像装置（デジタルビデオカメラ）１の全体構成を示すブロック図である。なお、本発明は、撮影機能を持つものであれば、デジタルスチルカメラをはじめ、携帯電話、ＰＨＳ（Personal Handyphone System）、ＰＤＡ（Personal Digital Assistant）等、その他の電子機器においても採用することができる。
【００１３】
なお、以下の説明ではズームレンズ１０２、フォーカスレンズ１０４及び絞り１０３が手動で操作されるものとしているが、手動操作と電動操作を切り替えることができる装置であっても、手動操作時に同様に適用できる。
【００１４】
撮像装置１は、固定の前玉レンズ１０１、ズームレンズ１０２、アイリス（絞り）１０３、フォーカスレンズ１０４、及び撮像素子１０５で構成される撮像部を有する。前玉レンズ１０１は、近赤外線をカットし、可視光を透過するフィルタとしても機能する。ズームレンズ１０２は、ユーザーが撮像装置１の筐体に設けられた図示しない調整リングを回動させることで、光軸ＬＡに沿って移動する。ズームレンズ位置検出手段１０６は、ズームレンズの位置を検出してマイクロコンピュータ１１３に通知する。同様に、フォーカスレンズ１０４は、ユーザーが撮像装置１の筐体に設けられた図示しない別の調整リングを回動させることで、光軸ＬＡに沿って移動する。フォーカスレンズ位置検出手段１０８は、フォーカスレンズの位置を検出してマイクロコンピュータ１１３に通知する。アイリス１０３は、ユーザーが撮像装置１の筐体に設けられた図示しない別の調整リングを回動させることで、絞り量が変化する。アイリス位置検出手段１０７は、アイリスの絞り量を検出してマイクロコンピュータ１１３に通知する。撮像素子１０５に入力する光量は、アイリス１０３によって調整される。なお、光量調整は、撮像素子における光電変換期間を変化させることでも行われる。
【００１５】
撮像素子１０５は光電変換を行って、電気信号であるアナログ画像信号をカメラ信号処理手段１０９に出力する。カメラ信号処理手段１０９は、入力されるアナログ画像信号に対して相関二重サンプリング等の処理を行った後で、Ａ／Ｄ変換を行ってデジタル画像データに変換する。さらに、カメラ信号処理手段１０９は、デジタル画像データに対して、ホワイトバランス調整処理、ガンマ補正処理、ＲＧＢ補完処理、ノイズ低減処理、輪郭補正処理、色調補正処理、光源種別判定処理等の各種デジタル補正を行う。カメラ信号処理手段１０９は、処理結果のデジタル画像データをバス１１０を介して、主記憶部であるＤＲＡＭ（Dynamic Random Access Memory）１１１に格納する。
【００１６】
圧縮・伸長処理手段１１２は、マイクロコンピュータ１１３からの指示に従い、バス１１０を介してＤＲＡＭ１１１に格納されたデジタル画像データを読み出して、所定の画像圧縮処理を施し、圧縮データを生成する。圧縮・伸長処理手段１１２は、生成した圧縮データをＤＲＡＭ１１０に格納する。また、圧縮・伸長処理手段１１２は、マイクロコンピュータ１１３からの指令に従い、カードＩ／Ｆ１１４に装着されたカード型記録媒体１１５等から読み出されてＤＲＡＭ１１１に格納されている圧縮データを読み出して、所定の伸張処理を施し、デジタル復号画像を生成する。圧縮・伸長処理手段１１２は、生成したデジタル復号画像データを、ＤＲＡＭ１１１に格納する。
【００１７】
カードＩ／Ｆ１１４は、マイクロコンピュータ１１３からの指令に従い、ＤＲＡＭ１１１に格納されている圧縮データを読み出して、カード型記録媒体１１５に記録する。
【００１８】
入出力Ｉ／Ｆ１１８は、マイクロコンピュータ１１３の指示に従い、ＤＲＡＭ１１１から読み出したデジタル画像データあるいはデジタル復号画像データを液晶モニタ１１９及び入出力端子１２１に出力する。入出力端子１２１には、図示しないテレビモニタ等が接続される。
【００１９】
液晶モニタ１１９、操作部１２０及び入出力端子１２１は入出力Ｉ／Ｆ１１８に接続されている。液晶モニタ１１９は、ＤＲＡＭ１１１から読み出されたデジタル画像データや各種メニュー画像等、各種画像を表示する。操作部１２０は、図示しないリレーズ・スイッチ、電源スイッチを含む操作キー、又は液晶モニタ１１９上に重畳されたタッチパネル等から構成されており、ユーザーの撮像装置１への操作入力を受け付ける。入出力端子１２１は、図示しないテレビモニタやＰＣ（Personal  Computer）等に接続される。
【００２０】
マイクロコンピュータ１１３は、入出力Ｉ／Ｆ１１８を介して操作キーやレリーズ・スイッチ等からなる操作部１２０の操作情報を受け付ける。
【００２１】
信号発生手段１３０、近赤外線発光手段１３１、レンズ１３２、光検出素子１３３、及び距離算出手段１３４は、後述するように、距離画像情報を生成する生成手段である。生成された距離画像情報は、マイクロコンピュータ１１３に出力される。マイクロコンピュータ１１３は、入力される距離画像情報とズームレンズ位置、絞り量、フォーカスレンズ位置とから、後述する距離色差画像データを生成する。マイクロコンピュータ１１３は生成した距離色差画像データをバス１１０を介して着色手段１１６に伝送する。
【００２２】
マイクロコンピュータ１１３は、カメラ信号処理手段１０９から出力され、ＤＲＡＭ１１１に格納されているデジタル画像データを読み出して、着色手段１１６に伝送する。着色手段１１６は、ＤＲＡＭ１１１から伝送されたデジタル画像データから輝度信号データを生成し、さらに電子ビューファインダ１１７の表示画素数に合わせて画素数変換を行う。また、着色手段１１６は、マイクロコンピュータ１１３から伝送された距離色差画像データを電子ビューファインダ１１７の表示画素数に合わせて画素数変換を行う。さらに、着色手段１１６は、画素数変換された輝度信号データと画素数変換された距離色差データとから、カラー画像データを生成して電子ビューファインダ１１７に出力する。
【００２３】
マイクロコンピュータ１１３はＣＰＵ（Central Processing Unit）、各種プログラムが格納されたＲＯＭ、及びワークメモリとしてのＲＡＭ等を含む半導体集積回路により構成され、上述の動作に加えて、撮像部等による撮像処理、液晶モニタ１１９への各種画像の表示処理、及びカード型記録媒体１１５への各種データの記録処理等の全体の動作を統括的に制御する。
【００２４】
次に、信号発生手段１３０、近赤外線発光手段１３１、レンズ１３２、光検出素子１３３、及び距離算出手段１３４による距離画像情報の生成について説明する。本実施例では、距離画像情報を特許文献３の方法によって生成する。
【００２５】
信号発生手段１３０は、マイクロコンピュータ１１３からの指令を受けて所定の変調信号を発生し、近赤外線発光手段１３１を駆動して、所定の強度変調を行った光を対象空間に照射させる。近赤外線発光手段１３１は、ＬＥＤ（Light Emitting Diode）等の発光素子で構成されている。信号発生手段１３０が発生した所定の変調信号は、距離算出手段１３４にも送られる。レンズ１３２は、近赤外線発光手段１３１が照射した光の反射光を集光する。また、可視光等をカットし、近赤外線を透過するフィルターとしても機能する。集光された光は、光検出素子１３３に入射する。光検出素子１３３は、複数個の感光部がマトリクス状に配列したものである。
【００２６】
距離算出手段１３４は光検出素子１３３の各感光部に蓄積された電荷を読み出す。読み出した電荷信号と信号発生手段１３０から入力された変調信号とから、対象空間に光が照射されてから被写体で反射して、各感光部に入射するまでの時間を算出する。そして、この時間を距離に換算することで距離データを算出する。各感光部について算出した距離データを各感光部の配置にならって配置し、２次元のデータ配列とする。このデータ配列を距離画像情報と称する。距離算出手段１３４は、算出した距離画像情報をマイクロコンピュータ１１３に出力する。なお、被写体が遠方にある場合など、各感光部のうちのいくつかでは距離データが算出できない。
【００２７】
次にマイクロコンピュータ１１３における前記距離画像情報とズームレンズ位置、絞り量、フォーカスレンズ位置の情報とからの、距離色差画像データの生成について説明する。ズームレンズ１０２を光軸ＬＡに沿って前後に移動させると、撮像光学系の画角と合成焦点距離が変化する。なお、図１では、ズームレンズ１０２、フォーカスレンズ１０４をそれぞれ一つのレンズとして表示しているが実際にはレンズ群である。フォーカスレンズ１０４を光軸ＬＡに沿って前後に移動させると、撮像光学系の合成焦点距離が変化する。
【００２８】
前玉レンズ１０１、ズームレンズ１０２、フォーカスレンズ１０４からなる撮像光学系を仮想的な一つのレンズと考えたとき、この仮想的なレンズからフォーカスの合っている被写体までの距離をＤ、仮想的なレンズから撮像素子までの距離をＳ、仮想的なレンズの焦点距離をＴとして、（１）式が成立する。
【００２９】
１／Ｄ  ＋  １／Ｓ  ＝  １／Ｔ    ・・・（１）
ここで、この仮想的なレンズから撮像素子までの距離Ｓ及び焦点距離Ｔは、ズームレンズ１０２の位置とフォーカスレンズ１０４の位置とで決定される値である。本実施例では、予めズームレンズ１０２の位置とフォーカスレンズ１０４の位置とを入力とし、距離Ｓ、焦点距離Ｔを出力するテーブルを作成し、マイクロコンピュータ１１３のＲＯＭに格納しておく。
【００３０】
ズームレンズ１０２とフォーカスレンズ１０４の移動とともにアイリス１０３の絞り量を変化させると、被写界深度が変わる。被写界深度は、撮像結果の画像において焦点が合っているように見える距離である。被写界深度は、焦点距離が短いほど被写界深度が深く、アイリスで絞ったほど被写界深度が深く、被写体までの距離が遠いほど被写界深度が深い。
【００３１】
絞り量をＦ値で表す。合焦している被写体よりレンズ寄りの範囲のうち焦点が合っているように見える範囲である、前方被写界深度Ｄｆは（２）式で表される。
【００３２】
Ｄｆ＝（δ×Ｆ×Ｄ２）／（Ｔ２＋δ×Ｆ×Ｄ）    ・・・（２）
合焦している被写体より無限遠寄りの範囲のうち焦点が合っているように見える範囲である、後方被写界深度Ｄｒは、（３）式で表される。
【００３３】
Ｄr＝（δ×Ｆ×Ｄ２）／（Ｔ２−δ×Ｆ×Ｄ）    ・・・（３）
ここで、δは許容錯乱円と呼ばれ、撮像素子のサイズと撮像画素数とで決まる定数である。δの値は、マイクロコンピュータ１１３のＲＯＭに格納しておく。
【００３４】
本実施例では、絞り量を入力とし、Ｆ値を出力とするテーブルを作成し、マイクロコンピュータ１１３のＲＯＭに格納しておく。
【００３５】
マイクロコンピュータ１１３は、ズームレンズ位置検出手段１０６から通知されるズームレンズ位置情報とフォーカスレンズ位置検出手段１０８から通知されるフォーカスレンズ位置情報とから、距離Ｓ、焦点距離Ｔを出力するテーブルを用いて、距離Ｓ、焦点距離Ｔを算出する。次に、マイクロコンピュータ１１３は、（１）式を用いて距離Ｄを算出する。同様に、マイクロコンピュータ１１３は、アイリス位置検出手段１０７から通知される絞り量情報から、Ｆ値を出力とするテーブルを用いて、Ｆ値を算出する。次に、マイクロコンピュータ１１３は、（２）式と（３）式とを用いて、それぞれＤｆ、Ｄｒを算出する。
【００３６】
次に、マイクロコンピュータ１１３は、前記距離画像情報と、上記で算出したＤｆ及びＤｒとを用いて、前記距離画像情報を距離色差画像データに変換する。具体的には、前記距離画像情報における各感光部に係る距離データをＬｉとすると（ｉは、ｉ番目の感光部を意味する）、Ｌｉ ≦ Ｄｆ  の場合には、赤色の画素データを割り当てる。
【００３７】
Ｄｆ ＜ Ｌｉ ＜Ｄｒ の場合には、青色の画素データを割り当てる。Ｌｉ ≧ Ｄｒの場合には、黄色の画素データを割り当てる。なお、距離データが算出できていない感光部については、無色を割り当てる。
【００３８】
各感光部は、２次元のマトリクス状に配置されている。上記のように割り当てた画素データを各感光部の配置にならって配置し、２次元の画像データ配列とする。この画像データ配列を距離色差画像データと称する。
【００３９】
なお、ここでは、３色の色分けとしたが、より多色の色分けとしてもよい。例えば、
Ｌｉ≦（２×Ｄｆ − Ｄ）の場合には、赤色の画素データを割り当てる。
【００４０】
（２×Ｄｆ − Ｄ）＜Ｌｉ ≦ Ｄｆ の場合には、紫色の画素データを割り当てる。
【００４１】
Ｄｆ ＜ Ｌｉ＜Ｄｒ の場合には、青色の画素データを割り当てる。
【００４２】
（２×Ｄｒ − Ｄ）＞Ｌｉ ≧ Ｄｒの場合には、緑色の画素データを割り当てる。
【００４３】
Ｌｉ≧（２×Ｄｒ − Ｄ）の場合には、黄色の画素データを割り当てるようにしてもよい。また、各色については、上記のとおりである必要はなく、種々の組み合わせが可能である。また、ユーザーの指示によって、各色を選択できるようにしてもよい。
【００４４】
上述したように、距離色差画像データは着色手段１１６に伝送される。マイクロコンピュータ１１３は、着色手段１１６に伝送される距離色差画像データの画角範囲を撮影中のデジタル画像データの画角範囲と略同一となるように切り出しを行う。ここで、撮影中のデジタル画像データは、ズームレンズ１０２の位置によって画角が変化する。一方、本実施例では、レンズ１３２として画角の変更ができないものを使用する。レンズ１３２の画角は、ズームレンズ１０２をもっともワイド端に移動させたときの画角相当の画角である。
【００４５】
そこで、マイクロコンピュータ１１３は、距離色差画像データからデジタル画像データの画角範囲のデータ配列を切り出して、着色手段１１６に伝送する。切り出し範囲は、ズームレンズ１０２の位置に対応したものである。予め、ズームレンズ１０２の位置を入力とし、切り出し範囲のデータ位置を出力とするテーブルを作成し、マイクロコンピュータ１１３のＲＯＭに格納しておく。撮影時には、マイクロコンピュータ１１３は、ズームレンズ１０２の位置をアドレスとして、ＲＯＭの出力によって切り出し範囲を決定する。
なお、レンズ１３２をズームレンズ１０２と連動させて画角範囲を変更できるズームレンズとしてもよい。
【００４６】
着色手段１１６は、伝送されてきた、撮像素子１０５で撮影中のデジタル画像データの輝度信号と上記の切り出し後の距離色差画像データとからカラー画像を生成し、ビューファインダ１１７に表示する。
【００４７】
図２は、距離色差画像データと撮影中のデジタル画像データの輝度信号とから生成されるカラー画像がビューファインダ１１７に表示される様子を示す概念図である。図２（Ａ）は、輝度信号のみを表示した場合の図である。手前から奥行方向に置かれている直方体を撮影したものである。図２（Ｂ）は、距離色差画像データを用いて生成したカラー画像を表示した場合の図である。図２（Ｂ）では、塗りつぶしのパターンで色の違いを表している。図２（Ｂ）では、直方体の奥行方向の中間付近に焦点が合っている様子を示している。前方被写界深度Ｄｆから後方被写界深度Ｄｒまでの距離の範囲が青色（図２（Ｂ）では、横線の縞模様の塗りつぶし）に、前方被写界深度Ｄｆから手前が赤色（図２（Ｂ）では、斜め線の縞模様の塗りつぶし）に、後方被写界深度Ｄｒよりも奥が黄色（図２（Ｂ）では、クロスハッチの塗りつぶし）に着色されている。なお、ここでは直方体以外の背景については省略している。
【００４８】
以上のように、本実施例によれば、ユーザーは、ビューファインダ１１７を見ることで、動画像の撮影中であっても、その時点のズームレンズ位置、フォーカスレンズ位置および絞り量に応じて、撮影中の被写体のどの部分が合焦範囲であるかを明確に知ることができる。さらに、ユーザーは、合焦範囲よりも手前にある被写体の部分や、合焦範囲よりも奥にある被写体の部分がどこであるかを知ることができる。
【００４９】
なお、本実施例では、調整リングを回動させることで、絞り量を変化させるものとした。それに追加して、操作部１２０の操作で仮想的に絞り量を変化させることができるようにすることもできる。すなわち、実際の撮影は調整リングの位置に応じた絞り量での撮影を続けながら、距離色差画像データは操作部１２０の操作で設定した絞り量を用いて生成する。着色手段１１６は、この距離色差画像データを用いて生成したカラー画像をビューファインダ１１７に表示する。以上のように構成することで、ユーザーは動画の撮影を続けながら、もし絞り量を変えたら被写界深度がどのように変化するかを事前に知ることができる。したがって、撮影中に、ユーザーの意図を反映した絞り量の調整を容易に行うことができる。
【００５０】
なお、本発明の距離画像情報生成手段は、特許文献３の方法に限定されるものではない。例えば特許文献４に開示されているように、赤外線によるパターン光を照射して、反射光を複数の受光部で受光して、ステレオ法を用いて距離画像情報を生成してもよい。
【００５１】
また、距離画像情報生成手段の光学系とズームレンズ１０２等からなる撮像光学系を共通化してもよい。
【００５２】
また、上記の実施の形態において、距離色差画像データはマイクロコンピュータのソフトウエア処理によって算出されているが、専用のハードウエア回路を設けてもよい。また、着色手段１１６は専用のハードウエア回路によって構成されているが、これらの処理機能あるいはその一部をマイクロコンピュータ１１３でのソフトウエア処理により実行するようにしてもよい。また、マイクロコンピュータ１１３で実行するためのプログラムは、カード型の記録媒体から、あるいはネットワークを通じて撮像装置内に読み込まれるようにしてもよい。
【符号の説明】
【００５３】
１  撮像装置
１０１  前玉レンズ
１０２  ズームレンズ
１０３  アイリス（絞り）
１０４  フォーカスレンズ
１０５  撮像素子
１０６  ズームレンズ位置検出手段
１０７  アイリス位置検出手段
１０８  フォーカスレンズ位置検出手段
１０９  カメラ信号処理手段
１１０  バス
１１１  ＤＲＡＭ（Dynamic Random Access Memory）
１１２  圧縮・伸長処理手段
１１３  マイクロコンピュータ
１１４  カードＩ／Ｆ
１１５  カード型記録媒体
１１６  着色手段
１１７  ビューファインダ
１１８  入出力Ｉ／Ｆ
１１９  液晶モニタ
１２０  操作部
１２１  入出力端子
１３０  信号発生手段
１３１  近赤外線発光手段
１３２  レンズ
１３３  光検出素子
１３４  距離算出手段
【図１】
2015129899.tif 000003
【図２】
2015129899.tif 000004